(57)【要約】【課題】発注企業のＷｅｂサイトからダウンロードしたＥＤＩデータに対して発生する作業の効率および信頼性を向上すること。【解決手段】データ仕分け処理部１２０が仕分け情報ファイル１２０ｂを参照してＥＤＩデータを自動印刷用と手動印刷用とに仕分けし、自動印刷用として仕分けしたＥＤＩデータを自動印刷処理部１４０が担当者ごとにバナー印刷を行って自動印刷するよう構成する。また、データ仕分け処理部１２０が仕分け情報ファイル１２０ｂを参照して基幹連携用のＥＤＩデータを仕分けし、基幹連携データ作成部１５０が加工情報ファイル１５０ａを参照して基幹連携用データを作成する。【選択図】        図２
2007058668.tif 000002
【特許請求の範囲】
【請求項１】
ＥＤＩデータの属性に基づいて該ＥＤＩデータを自動印刷用と手動印刷用に仕分けする仕分手順と、
前記仕分手順により自動印刷用に仕分けされたＥＤＩデータを印刷する自動印刷手順と、
をコンピュータに実行させることを特徴とするＥＤＩデータ自動仕分け印刷プログラム。
【請求項２】
前記仕分手順は、ＥＤＩデータの属性に基づいて該ＥＤＩデータを自動印刷用と手動印刷用に仕分けるとともに、受注処理を行う基幹システムに連携させる基幹連携用に仕分けることを特徴とする請求項１に記載のＥＤＩデータ自動仕分け印刷プログラム。
【請求項３】
前記自動印刷手順は、前記仕分手順により自動印刷用に仕分けされたＥＤＩデータを該ＥＤＩデータの担当者ごとにバナー印刷することを特徴とする請求項１または２に記載のＥＤＩデータ自動仕分け印刷プログラム。
【請求項４】
前記仕分手順は、ＥＤＩデータの属性に基づいて該ＥＤＩデータを自動印刷するか否かを定義した仕分け情報に基づいて仕分けを行い、
前記自動印刷手順は、前記仕分手順により自動印刷用に仕分けられたＥＤＩデータを印刷するとともに、印刷が正常に行われたか否かをログとして記録し、
前記自動印刷手順により記録されたログに基づいて前記仕分け情報を更新する仕分け情報更新手順をさらにコンピュータに実行させることを特徴とする請求項１、２または３に記載のＥＤＩデータ自動仕分け印刷プログラム。
【請求項５】
ＥＤＩデータから該ＥＤＩデータの特定に利用する情報を抽出して該ＥＤＩデータを格納するファイルの名前に反映するようにファイル名を変換するファイル名変換手順をさらにコンピュータに実行させ、
前記仕分手順は、前記ファイル名変換手順により変換されたファイル名を仕分け結果として明示することを特徴とする請求項１〜４のいずれか一つに記載のＥＤＩデータ自動仕分け印刷プログラム。
【請求項６】
ＥＤＩデータの属性に基づいて該ＥＤＩデータを自動印刷用と手動印刷用に仕分けする仕分工程と、
前記仕分工程により自動印刷用に仕分けされたＥＤＩデータを印刷する自動印刷工程と、
を含んだことを特徴とするＥＤＩデータ自動仕分け印刷方法。
【請求項７】
ＥＤＩデータの属性に基づいて該ＥＤＩデータを自動印刷用と手動印刷用に仕分けする仕分手段と、
前記仕分手段により自動印刷用に仕分けされたＥＤＩデータを印刷する自動印刷手段と、
を備えたことを特徴とするＥＤＩデータ自動仕分け印刷装置。
【発明の詳細な説明】
【技術分野】
【０００１】
この発明は、ＥＤＩデータを自動印刷用と手動印刷用に仕分けして自動印刷用のＥＤＩデータを自動印刷するなどによって、ＥＤＩデータの受信に伴って発生する作業の効率および信頼性を向上することができるＥＤＩデータ自動仕分け印刷プログラム、ＥＤＩデータ自動仕分け印刷方法およびＥＤＩデータ自動仕分け印刷装置に関するものである。
【背景技術】
【０００２】
ＥＤＩ（Electronic Data Interchange：電子データ交換）は、企業間でのデータ交換として広く利用されており、データ交換を効率良く行うための様々な機能を備えたＥＤＩシステムが開発されている。
【０００３】
例えば、特許文献１には、ＥＤＩデータを受信して取り扱う側の企業において、取扱いの処理装置の構成などが変更になっても、ＥＤＩデータを発信する側の企業において、ＥＤＩデータの送信先などの変更を行う必要がないようにすることができるＥＤＩシステムが記載されている。
【０００４】
【特許文献１】特開２００４−３５５３８２号公報
【発明の開示】
【発明が解決しようとする課題】
【０００５】
しかしながら、ＥＤＩシステムは、発信者側主体のシステムであるため、受信者側の利便性が考慮されておらず、受信者側にとって作業負担が大きいという問題がある。すなわち、受信者側の担当者は、適宜ＷｅｂサイトへアクセスしてＥＤＩデータをダウンロードし、必要に応じて印刷や、受注処理を行う基幹システムへの連携に必要な作業を行うなど、担当者の作業負担が大きいという問題がある。
【０００６】
また、ＥＤＩデータの受信時に必要とされる印刷や基幹システムとの連携作業は、担当者の手作業によって行われるため、作業漏れなどが発生しやいという問題がある。
【０００７】
この発明は、上述した従来技術による問題点を解消するためになされたものであり、ＥＤＩデータの受信に伴って発生する作業の効率および信頼性を向上することができるＥＤＩデータ自動仕分け印刷プログラム、ＥＤＩデータ自動仕分け印刷方法およびＥＤＩデータ自動仕分け印刷装置を提供することを目的とする。
【課題を解決するための手段】
【０００８】
上述した課題を解決し、目的を達成するため、請求項１の発明に係るＥＤＩデータ自動仕分け印刷プログラムは、ＥＤＩデータの属性に基づいて該ＥＤＩデータを自動印刷用と手動印刷用に仕分けする仕分手順と、前記仕分手順により自動印刷用に仕分けされたＥＤＩデータを印刷する自動印刷手順と、をコンピュータに実行させることを特徴とする。
【０００９】
この請求項１の発明によれば、ＥＤＩデータの属性に基づいてＥＤＩデータを自動印刷用と手動印刷用に仕分けし、自動印刷用に仕分けしたＥＤＩデータを印刷するよう構成したので、自動印刷が可能であるＥＤＩデータを担当者が印刷する手間を省くことができる。
【００１０】
また、請求項２の発明に係るＥＤＩデータ自動仕分け印刷プログラムは、請求項１の発明において、前記仕分手順は、ＥＤＩデータの属性に基づいて該ＥＤＩデータを自動印刷用と手動印刷用に仕分けるとともに、受注処理を行う基幹システムに連携させる基幹連携用に仕分けることを特徴とする。
【００１１】
この請求項２の発明によれば、ＥＤＩデータの属性に基づいてＥＤＩデータを自動印刷用と手動印刷用に仕分けるとともに、受注処理を行う基幹システムに連携させる基幹連携用に仕分けるよう構成したので、基幹システムとの連携作業を容易にすることができる。
【００１２】
また、請求項３の発明に係るＥＤＩデータ自動仕分け印刷プログラムは、請求項１または２の発明において、前記自動印刷手順は、前記仕分手順により自動印刷用に仕分けされたＥＤＩデータを該ＥＤＩデータの担当者ごとにバナー印刷することを特徴とする。
【００１３】
この請求項３の発明によれば、自動印刷用に仕分けしたＥＤＩデータをＥＤＩデータの担当者ごとにバナー印刷するよう構成したので、印刷されたＥＤＩデータを担当者が容易に特定することができる。
【００１４】
また、請求項４の発明に係るＥＤＩデータ自動仕分け印刷プログラムは、請求項１、２または３の発明において、前記仕分手順は、ＥＤＩデータの属性に基づいて該ＥＤＩデータを自動印刷するか否かを定義した仕分け情報に基づいて仕分けを行い、前記自動印刷手順は、前記仕分手順により自動印刷用に仕分けられたＥＤＩデータを印刷するとともに、印刷が正常に行われたか否かをログとして記録し、前記自動印刷手順により記録されたログに基づいて前記仕分け情報を更新する仕分け情報更新手順をさらにコンピュータに実行させることを特徴とする。
【００１５】
この請求項４の発明によれば、ＥＤＩデータの属性に基づいてＥＤＩデータを自動印刷するか否かを定義した仕分け情報に基づいて仕分けを行い、自動印刷用に仕分けたＥＤＩデータを印刷するとともに、印刷が正常に行われたか否かをログとして記録し、記録したログに基づいて仕分け情報を更新するよう構成したので、印刷結果を学習して仕分け情報を自動的に改良することができる。
【００１６】
また、請求項５の発明に係るＥＤＩデータ自動仕分け印刷プログラムは、請求項１〜４の発明において、ＥＤＩデータから該ＥＤＩデータの特定に利用する情報を抽出して該ＥＤＩデータを格納するファイルの名前に反映するようにファイル名を変換するファイル名変換手順をさらにコンピュータに実行させ、前記仕分手順は、前記ファイル名変換手順により変換されたファイル名を仕分け結果として明示することを特徴とする。
【００１７】
この請求項５の発明によれば、ＥＤＩデータからＥＤＩデータの特定に利用する情報を抽出してＥＤＩデータを格納するファイルの名前に反映するようにファイル名を変換し、変換したファイル名を仕分け結果として明示するよう構成したので、担当者はファイルを開くことなくＥＤＩデータの内容を推定することができる。
【００１８】
また、請求項６の発明に係るＥＤＩデータ自動仕分け印刷方法は、ＥＤＩデータの属性に基づいて該ＥＤＩデータを自動印刷用と手動印刷用に仕分けする仕分工程と、前記仕分工程により自動印刷用に仕分けされたＥＤＩデータを印刷する自動印刷工程と、を含んだことを特徴とする。
【００１９】
この請求項６の発明によれば、ＥＤＩデータの属性に基づいてＥＤＩデータを自動印刷用と手動印刷用に仕分けし、自動印刷用に仕分けしたＥＤＩデータを印刷するよう構成したので、自動印刷が可能であるＥＤＩデータを担当者が印刷する手間を省くことができる。
【００２０】
また、請求項７の発明に係るＥＤＩデータ自動仕分け印刷装置は、ＥＤＩデータの属性に基づいて該ＥＤＩデータを自動印刷用と手動印刷用に仕分けする仕分手段と、前記仕分手段により自動印刷用に仕分けされたＥＤＩデータを印刷する自動印刷手段と、を備えたことを特徴とする。
【００２１】
この請求項７の発明によれば、ＥＤＩデータの属性に基づいてＥＤＩデータを自動印刷用と手動印刷用に仕分けし、自動印刷用に仕分けしたＥＤＩデータを印刷するよう構成したので、自動印刷が可能であるＥＤＩデータを担当者が印刷する手間を省くことができる。
【発明の効果】
【００２２】
請求項１、６および７の発明によれば、自動印刷が可能であるＥＤＩデータを担当者が印刷する手間を省くので、ＥＤＩデータの受信に伴って発生する作業の効率および信頼性を向上することができるという効果を奏する。
【００２３】
また、請求項２の発明によれば、基幹システムとの連携作業を容易にするので、ＥＤＩデータの受信に伴って発生する作業の効率および信頼性を向上することができるという効果を奏する。
【００２４】
また、請求項３の発明によれば、印刷されたＥＤＩデータを担当者が容易に特定することができるので、ＥＤＩデータの受信に伴って発生する作業の効率および信頼性を向上することができるという効果を奏する。
【００２５】
また、請求項４の発明によれば、印刷結果を学習して仕分け情報を自動的に改良するので、自動的に、より適切な仕分けができるようにすることができるという効果を奏する。
【００２６】
また、請求項５の発明によれば、担当者はファイルを開くことなくＥＤＩデータの内容を推定することができるので、ＥＤＩデータの受信に伴って発生する作業の効率を向上することができるという効果を奏する。
【発明を実施するための最良の形態】
【００２７】
以下に添付図面を参照して、この発明に係るＥＤＩデータ自動仕分け印刷プログラム、ＥＤＩデータ自動仕分け印刷方法およびＥＤＩデータ自動仕分け印刷装置の好適な実施例を詳細に説明する。なお、本実施例では、本発明を発信者側のＷｅｂサイトからダウンロードしたＥＤＩデータに適用した場合を中心に説明する。
【実施例】
【００２８】
まず、本実施例に係るＥＤＩデータ自動仕分け印刷処理の概念について説明する。図１は、本実施例に係るＥＤＩデータ自動仕分け印刷処理の概念を説明するための説明図である。同図に示すように、このＥＤＩデータ自動仕分け印刷処理では、発信者側のＷｅｂサイトからダウンロードしたＥＤＩデータを仕分け情報ファイルの仕分け情報に基づいて、自動印刷用と手動印刷用とに仕分けを行うとともに、基幹システムとの連携が可能なＥＤＩデータについては、自動印刷、手動印刷に関係なく基幹連携用としても仕分けを行う。
【００２９】
ここで、仕分け情報ファイルは、ＥＤＩデータを格納するファイルの拡張子（ＸＬＳ、ＤＯＣ、ＴＩＦＦなど）をＥＤＩデータの属性として、属性などに基づいてＥＤＩデータを自動印刷用と手動印刷用に仕分けるとともに基幹連携用としても仕分ける情報を定義したファイルである。
【００３０】
そして、自動印刷用として仕分けしたＥＤＩデータを担当者のバナーをつけて自動印刷し、基幹連携用として仕分けしたＥＤＩデータを基幹システムとの連携が可能なように加工する。
【００３１】
そして、ダウンロードしたＥＤＩデータの担当者ごとに仕分け印刷処理結果をメールで通知するとともに、ＥＤＩシステムの管理者に対しても仕分け印刷処理結果をメールで通知する。
【００３２】
このように、本実施例に係るＥＤＩデータ自動仕分け印刷処理では、発信者側のＷｅｂサイトからダウンロードしたＥＤＩデータを仕分け情報ファイルの仕分け情報に基づいて、自動印刷用と手動印刷用に仕分けるとともに、基幹連携用としても仕分けし、自動印刷用として仕分けしたＥＤＩデータを担当者のバナーをつけて自動印刷し、基幹連携用として仕分けしたＥＤＩデータを基幹システムとの連携が可能なように加工することによって、ＥＤＩデータ受信に伴って発生する作業を自動化し、作業効率および信頼性を向上することができる。
【００３３】
次に、本実施例に係るＥＤＩデータ自動仕分け印刷装置の構成について説明する。図２は、本実施例に係るＥＤＩデータ自動仕分け印刷装置の構成を示す機能ブロック図である。
【００３４】
同図に示すように、このＥＤＩデータ自動仕分け印刷装置１００は、ダウンロード部１１０と、管理ファイル１１０ａと、ＥＤＩデータ記憶部１２０ａと、データ仕分け処理部１２０と、仕分け情報ファイル１２０ｂと、変換情報ファイル１２０ｃと、自動印刷用データ記憶部１３０ａと、手動印刷用データ記憶部１３０ｂと、基幹連携用データ記憶部１３０ｃと、プリンタ情報ファイル１４０ａと、自動印刷処理部１４０と、加工情報ファイル１５０ａと、基幹連携データ作成部１５０と、メール送信部１６０と、ログファイル１７０ａと、仕分け条件追加部１７０と、エラーカウンターファイル１７０ｂとを有する。
【００３５】
ダウンロード部１１０は、管理ファイル１１０ａの情報を用いて、発信者側のＷｅｂサイトから担当者ごとに格納されたＥＤＩデータをダウンロードして担当者ごとにＥＤＩデータ記憶部１２０ａに格納する処理部である。
【００３６】
管理ファイル１１０ａは、ＥＤＩデータ自動仕分け印刷装置１００がＥＤＩデータ自動仕分け印刷処理に必要とする情報を記憶したファイルである。図３は、管理ファイル１１０ａの一例を示す図である。同図に示すように、この管理ファイル１１０ａは、［システム管理者］に関する情報、［ダウンロードフォルダ］に関する情報、［作業ディレクトリ］に関する情報、［最大エラーカウンター］に関する情報、［メール送信環境］に関する情報、［センターウェア］に関する情報などを記憶する。
【００３７】
ここで、［メール送信環境］に関する情報は、メール送信部１６０がメールを送信するＳＭＴＰサーバについての情報であり、［センターウェア］に関する情報は、自動印刷処理部１４０が縮小印刷する際に使用する作業フォルダの情報である。また、［最大エラーカウンター］に関する情報については後述する。
【００３８】
ＥＤＩデータ記憶部１２０ａは、発信者側のＷｅｂサイトからダウンロードされたＥＤＩデータを担当者ごとに記憶する記憶部である。図４は、ＥＤＩデータ記憶部１２０ａの一例を示す図である。
【００３９】
同図において、「１１１１１」、「２２２２２」は、担当者が発信者側のＷｅｂサイトにアクセスするためのアカウントＩＤであり、「Ａ社」、「Ｂ社」は、発注企業の名前である。また、「TEXT」は、テキスト形式のＥＤＩデータを記憶するフォルダであり、「IMAGE」は、発注に関係する図面などのイメージデータを記憶するフォルダである。
【００４０】
すなわち、このＥＤＩデータ記憶部１２０ａは、アカウントＩＤで特定される担当者ごとに、発注企業ごとのＥＤＩデータをテキストデータとイメージデータに分けて記憶する。
【００４１】
データ仕分け処理部１２０は、仕分け情報ファイル１２０ｂを用いて、ＥＤＩデータ記憶部１２０ａに記憶されたＥＤＩデータを自動印刷用と手動印刷用に仕分けするとともに、基幹連携用としても仕分けする処理部である。また、このデータ仕分け処理部１２０は、ＥＤＩデータの仕分けに先立って、変換情報ファイル１２０ｃを用いて、イメージデータを格納するファイルのファイル名の変換などを必要に応じて行う。
【００４２】
このデータ仕分け処理部１２０が、ＥＤＩデータを自動印刷用と手動印刷用に仕分けするとともに、基幹連携用としても仕分けすることによって、ダウンロード後のＥＤＩデータに対して発生する印刷や基幹連携などの作業負荷を低減することができる。
【００４３】
仕分け情報ファイル１２０ｂは、ＥＤＩデータの仕分けに用いられる仕分け情報を記憶するファイルである。図５は、仕分け情報ファイル１２０ｂの一例を示す図である。同図に示すように、この仕分け情報ファイル１２０ｂは、ＥＤＩデータを格納したファイルのうち縮小して自動印刷を行うファイルの条件を指定する［自動印刷（縮小印刷）］、手動印刷を行うファイルの条件を指定する［手動印刷］、学習によって手動印刷とすることとなったファイルの条件を指定する［手動印刷  学習ファイル］、基幹連携用として仕分けするファイルの条件を指定する［ホスト連携］を記憶する。
【００４４】
なお、ファイルの条件としては、ファイル名、アカウントＩＤとファイル名の組み合わせ、拡張子などの属性を指定することができる。また、縮小して自動印刷を行うファイルの条件、手動印刷を行うファイルの条件、学習によって手動印刷とすることとなったファイルの条件のいずれにも合致しないファイルに格納されたＥＤＩデータは、自動印刷される。
【００４５】
変換情報ファイル１２０ｃは、ＥＤＩデータの仕分けに先立ってファイル名の変換などを行うファイルの条件や変換処理などに関する情報を記憶するファイルである。図６は、変換情報ファイル１２０ｃの一例を示す図である。同図に示すように、この変換情報ファイル１２０ｃは、［回転ファイル］、［ＯＣＲファイル］、［変名ファイル］および［印刷書式変換ファイル］としてファイルの条件や変換処理などに関する情報を記憶する。
【００４６】
ここで、［回転ファイル］は、格納するイメージデータから図面の管理番号などを自動認識するファイルの条件や認識時にイメージデータに対して行う回転に関する情報を指定する部分であり、アカウントＩＤ、ファイル名、イメージデータを回転する方向および回転角度を指定する。例えば、図６では、アカウントＩＤが「１１１１１」である担当者の「図面１．ＰＤＦ」という名前のファイルに格納されたイメージデータ読込んで「左方向に９０度」回転させて管理番号を認識することを指定している。
【００４７】
また、［ＯＣＲファイル］は、格納するイメージデータから図面の管理番号などを自動認識するファイルの条件や認識する文字の位置などに関する情報を指定する部分であり、アカウントＩＤ、読込み元ファイル名、読込先ファイル名、検索開始文字列、検索開始文字列後の読込み桁数を指定する。例えば、図６では、アカウントＩＤが「１１１１１」である担当者の「図面１．ＰＤＦ」という名前のイメージファイルを読込んで「Ｎｏ．」の後の６桁の文字で始まる文字列を管理番号として認識し、「図面１．ＴＸＴ」に格納することを指定している。
【００４８】
また、［変名ファイル］は、イメージデータから認識した管理番号などを用いたファイル名の変換に関する情報を指定する部分であり、アカウントＩＤ、変換前のファイルの名前を示す変名前ファイル名、変換後のファイル名を示す変名後ファイル名を指定する。例えば、図６では、アカウントＩＤが「１１１１１」である担当者の「図面１．ＰＤＦ」という名前のイメージファイルから認識した６桁の管理番号「ＸＸＸＸＸＸ」を用いて、ファイルの名前を「図面１．ＸＸＸＸＸＸ．ＰＤＦ」に変換することを指定している。
【００４９】
［回転ファイル］、［ＯＣＲファイル］および［変名ファイル］を用いて、例えば、「図面１．ＰＤＦ」という名前のファイルに格納されたイメージデータ読込んで「左方向に９０度」回転し、「Ｎｏ．」の後の６桁の文字で始まる文字列「ＸＸＸＸＸＸ」を管理番号として認識し、ファイル名を「図面１．ＸＸＸＸＸＸ．ＰＤＦ」に変換するといったファイル名の変換を指定することができる。
【００５０】
また、［印刷書式変換ファイル］は、印刷書式の変換に関する情報を指定する部分であり、アカウントＩＤ、書式変換前のファイルの名前を示す書式変更前ファイル名、書式変換後のファイル名を示す書式変更後ファイル名を指定する。例えば、図６では、アカウントＩＤが「１１１１１」である担当者の「支給部品価格書．ＴＸＴ」は印刷書式が変換されて「支給部品価格書．ＸＬＳ」とすることを指定している。
【００５１】
図２に戻って、自動印刷用データ記憶部１３０ａは、データ仕分け処理部１２０によって自動印刷用として仕分けられたＥＤＩデータを記憶する記憶部であり、手動印刷用データ記憶部１３０ｂは、データ仕分け処理部１２０によって手動印刷用として仕分けられたＥＤＩデータを記憶する記憶部であり、基幹連携用データ記憶部１３０ｃは、データ仕分け処理部１２０によって基幹連携用として仕分けられたＥＤＩデータを記憶する記憶部である。
【００５２】
なお、自動印刷用データ記憶部１３０ａ、手動印刷用データ記憶部１３０ｂおよび基幹連携用データ記憶部１３０ｃは、ＥＤＩデータ記憶部１２０ａと同様に、担当者ごとに、発注企業ごとのＥＤＩデータをテキストデータとイメージデータに分けて記憶する。
【００５３】
プリンタ情報ファイル１４０ａは、自動印刷に必要な情報を記憶するファイルである。図７は、プリンタ情報ファイル１４０ａの一例を示す図である。同図に示すように、このプリンタ情報ファイル１４０ａは、アカウントＩＤごと、アカウントＩＤかつファイル名ごとの出力先プリンタや、印刷命令などを記憶する。
【００５４】
自動印刷処理部１４０は、自動印刷用データ記憶部１３０ａに記憶されたＥＤＩデータをプリンタ情報ファイル１４０ａを用いて自動印刷する処理部である。また、この自動印刷処理部１４０は、担当者ごとにバナーを付けてＥＤＩデータの印刷を行う。
【００５５】
加工情報ファイル１５０ａは、基幹連携用として仕分けられたＥＤＩデータに対して基幹システムと連携するために行う加工に関する情報を記憶するファイルである。図８は、加工情報ファイル１５０ａの一例を示す図である。同図に示すように、この加工情報ファイル１５０ａは、基幹システムと連携するために行を削除するファイルの担当者のアカウントＩＤ、ファイル名、削除開始行および削除終了行を記憶する。
【００５６】
基幹連携データ作成部１５０は、基幹連携用データ記憶部１３０ｃに記憶されたＥＤＩデータを加工情報ファイル１５０ａを用いて加工する処理部である。この基幹連携データ作成部１５０が、基幹連携用データ記憶部１３０ｃに記憶されたＥＤＩデータを加工情報ファイル１５０ａを用いて加工することによって、基幹システムとの連携を行うことができる。
【００５７】
メール送信部１６０は、ＥＤＩデータがダウンロードされた担当者およびＥＤＩシステムの管理者にＥＤＩデータがダウンロードされたことを管理ファイル１１０ａに記憶されたメールアドレスおよびＳＭＴＰサーバに関する情報を用いて通知する処理部である。
【００５８】
ログファイル１７０ａは、ＥＤＩデータ自動仕分け印刷装置１００によるログ（処理履歴）を担当者ごとに記憶するファイルである。図９は、ログファイル１７０ａの一例を示す図である。同図に示すように、このログファイル１７０ａには、処理名、アカウントＩＤ、ダウンロードフォルダ名、処理日付、処理時刻、処理ファイル名、状態、複写先フォルダ名がログとして処理ごとに記録される。ここで、状態としては、処理が正常に行われた場合を示す「OK」と、エラーの発生を示す「NG」とがある。例えば、処理名が「Printing」であり、状態が「NG」である場合には、印刷処理でエラーが発生したことを示す。
【００５９】
仕分け条件追加部１７０は、ログファイル１７０ａに「NG]が記録されたエラー情報に基づいて仕分け情報ファイル１２０ｂを更新する処理部である。例えば、この仕分け条件追加部１７０は、印刷処理でエラーが発生したことを記録したログを用いて、図５に示した仕分け情報ファイル１２０ｂの［手動印刷  学習ファイル］（学習によって手動印刷とすることとなったファイルの条件を指定する部分）に、エラーが発生したファイル名を追加する。
【００６０】
この仕分け条件追加部１７０が、ログファイル１７０ａに記録されたエラー情報に基づいて仕分け情報ファイル１２０ｂを更新することによって、データ仕分け処理部１２０がより正確に仕分けを行うようにすることができる。
【００６１】
エラーカウンターファイル１７０ｂは、仕分け条件追加部１７０が、ログファイル１７０ａに記録されたエラー情報に基づいて仕分け情報ファイル１２０ｂを更新する場合に使用する一時的なファイルである。
【００６２】
図１０は、エラーカウンターファイル１７０ｂの一例を示す図である。同図に示すように、このエラーカウンターファイル１７０ｂは、［印刷エラーファイル］の部分に、印刷エラーが発生したファイルの担当者のアカウントＩＤおよびファイル名、連続エラー回数、最終チェックデータ日付をエラーファイルの情報として記憶する。
【００６３】
仕分け条件追加部１７０は、ログファイル１７０ａを用いて印刷エラーが連続した回数をカウントしてエラーカウンターファイル１７０ｂに記録し、連続エラー回数が図３に示した管理ファイル１１０ａの［最大エラーカウンター］で定義された値（MAXCOUNT＝３）を越えると、［手動印刷  学習ファイル］に、エラーが発生したファイル名を追加する。
【００６４】
次に、本実施例に係るＥＤＩデータ自動仕分け印刷装置１００の処理手順について説明する。図１１は、本実施例に係るＥＤＩデータ自動仕分け印刷装置１００の処理手順を示すフローチャートである。
【００６５】
同図に示すように、このＥＤＩデータ自動仕分け印刷装置１００は、ダウンロード部１１０が発注企業のＷｅｂサイトからＥＤＩデータをダウンンロードしてＥＤＩデータ記憶部１２０ａに担当者ごとに格納し（ステップＳ１０１）、データ仕分け処理部１２０が仕分け情報ファイル１２０ｂを用いてＥＤＩデータ記憶部１２０ａのＥＤＩデータを仕分けるデータ仕分け処理を行う（ステップＳ１０２）。
【００６６】
そして、自動印刷処理部１４０が自動印刷用に仕分けられたＥＤＩデータを自動印刷する自動印刷処理を行い（ステップＳ１０３）、基幹連携データ作成部１５０が基幹システムとの連携可能なデータを作成する基幹連携データ作成処理を行う（ステップＳ１０４）。
【００６７】
そして、メール送信部１６０がＥＤＩシステムの管理者とＥＤＩデータがダウンロードされた担当者にメールを送信し（ステップＳ１０５）、仕分け条件追加部１７０が仕分け情報ファイル１２０ｂに仕分け条件を追加する仕分け条件追加処理を行う（ステップＳ１０６）。
【００６８】
このように、データ仕分け処理部１２０が仕分け情報ファイル１２０ｂを用いてＥＤＩデータ記憶部１２０ａのＥＤＩデータの仕分けを行い、自動印刷処理部１４０が自動印刷用に仕分けられたＥＤＩデータを自動印刷し、基幹連携データ作成部１５０が基幹システムとの連携可能なデータを作成し、メール送信部１６０が管理者と担当者にメールを送信し、仕分け条件追加部１７０が仕分け情報ファイル１２０ｂに仕分け条件を追加することによって、受信側の担当者の作業負担を軽減することができる。
【００６９】
次に、図１１に示したデータ仕分け処理の処理手順について説明する。図１２は、図１１に示したデータ仕分け処理の処理手順を示すフローチャートである。同図に示すように、このデータ仕分け処理では、データ仕分け処理部１２０は、まず、仕分け情報ファイル１２０ｂから仕分け情報を読込む（ステップＳ２０１）。
【００７０】
そして、ＥＤＩデータ記憶部１２０ａから一つＥＤＩデータファイルを取り出し（ステップＳ２０２）、変換情報ファイル１２０ｃを参照してイメージデータファイル名の変換など変換処理が必要か否かを判定する（ステップＳ２０３）。その結果、変換処理が必要である場合には、変換情報ファイル１２０ｃで指定された変換処理を行う（ステップＳ２０４）。
【００７１】
そして、仕分け情報ファイル１２０ｂを参照してＥＤＩデータファイルが自動印刷対象であるか否かを判定し、自動印刷対象である場合には、自動印刷用データ記憶部１３０ａに格納し（ステップＳ２０６）、手動印刷対象である場合には、手動印刷用データ記憶部１３０ｂに格納する（ステップＳ２０７）。
【００７２】
また、ＥＤＩデータファイルが基幹連携対象であるか否かを判定し（ステップＳ２０８）、基幹連携対象である場合には、基幹連携用データ記憶部１３０ｃにもＥＤＩデータファイルを複写して格納する（ステップＳ２０９）。
【００７３】
そして、仕分け処理についてのログをログファイル１７０ａに記録し（ステップＳ２１０）、ＥＤＩデータ記憶部１２０ａに記憶された全てのＥＤＩファイルを仕分けたか否かを判定する（ステップＳ２１１）。
【００７４】
その結果、ＥＤＩデータ記憶部１２０ａに記憶された全てのＥＤＩファイルを仕分けた場合には、処理を終了し、仕分けていないＥＤＩファイルがある場合には、ステップＳ２０２に戻って次のＥＤＩファイルの仕分けを行う。
【００７５】
このように、データ仕分け処理部１２０が仕分け情報ファイル１２０ｂを参照してＥＤＩデータファイルを自動印刷用や基幹連携用に仕分けることによって、ＥＤＩデータの自動印刷や基幹システムとの連携を可能とすることができる。
【００７６】
次に、図１２に示した変換処理の処理手順について説明する。図１３は、図１２に示した変換処理の処理手順を示すフローチャートである。図１３に示すように、この変換処理では、データ仕分け処理部１２０は、変換情報ファイル１２０ｃを参照し、変換が指定されている各ファイルに対して、回転指定がある場合には、ファイルからイメージデータを読み出して回転処理を行う（ステップＳ２５１）。
【００７７】
そして、変換情報ファイル１２０ｃで指定された位置から指定された個数の文字を認識し（ステップＳ２５２）、ファイル名を認識した文字を用いて変換する（ステップＳ２５３）。
【００７８】
このように、データ仕分け処理部１２０が、変換情報ファイル１２０ｃを参照してイメージデータが格納されているファイル名をイメージデータから抽出した文字を用いて変換することによって、担当者はファイルを開くことなくＥＤＩデータの内容を推定することができる。
【００７９】
次に、図１１に示した自動印刷処理の処理手順について説明する。図１４は、図１１に示した自動印刷処理の処理手順を示すフローチャートである。図１４に示すように、この自動印刷処理では、自動印刷処理部１４０は、まず、縮小印刷用ソフトウェアの作業フォルダなどの設定値を管理ファイル１１０ａから取得する（ステップＳ３０１）。
【００８０】
そして、自動印刷用データ記憶部１３０ａにＥＤＩデータが格納されている担当者を一人選定し（ステップＳ３０２）、選定した担当者のプリンタの選択など印刷方法の設定をプリンタ情報ファイル１４０ａを参照して行う（ステップＳ３０３）。
【００８１】
そして、バナー印刷を行い（ステップＳ３０４）、その担当者のＥＤＩデータファイルを一つ自動印刷用データ記憶部１３０ａから取り出す（ステップＳ３０５）。そして、取り出したＥＤＩデータファイルを印刷し（ステップＳ３０６）、自動印刷処理についてのログをログファイル１７０ａに記録する（ステップＳ３０７）。ここで、印刷が正常に行われた場合には、「OK」をログとして記録し、印刷ができなかった場合には「NG」をログとして記録する。
【００８２】
そして、現在の担当者について自動印刷用データ記憶部１３０ａに記憶された全てのＥＤＩファイルを印刷したか否かを判定し（ステップＳ３０８）、印刷していないＥＤＩファイルがある場合には、ステップＳ３０５に戻って次のＥＤＩファイルの印刷を行う。
【００８３】
一方、現在の担当者について自動印刷用データ記憶部１３０ａに記憶された全てのＥＤＩファイルを印刷した場合には、全ての担当者について印刷が終了したか否かを判定し（ステップＳ３０９）、印刷が終了していない担当者がある場合には、ステップＳ３０２に戻って次の担当者に対する処理を行い、全ての担当者について印刷が終了した場合には、処理を終了する。
【００８４】
このように、自動印刷処理部１４０がプリンタ情報ファイル１４０ａを参照して担当者ごとに適切なプリンタを選定するとともにバナー印刷を行い、ＥＤＩデータを印刷することによって、ＥＤＩデータがダウンロードされた担当者の作業負担を軽減することができる。
【００８５】
次に、図１１に示した基幹連携データ作成処理の処理手順について説明する。図１５は、図１１に示した基幹連携データ作成処理の処理手順を示すフローチャートである。図１５に示すように、この基幹連携データ作成処理では、基幹連携データ作成部１５０は、まず、作業用ディレクトリなどの設定値を管理ファイル１１０ａから取得する（ステップＳ４０１）。
【００８６】
そして、加工情報ファイル１５０ａから基幹連携データ作成のための加工情報を読込み（ステップＳ４０２）、基幹連携データ作成部１５０からＥＤＩデータファイルを一つ取り出す（ステップＳ４０３）。
【００８７】
そして、取り出したＥＤＩデータファイルに対して加工情報に基づいて加工処理を行い（ステップＳ４０４）、加工処理についてのログをログファイル１７０ａに記録する（ステップＳ４０５）。
【００８８】
そして、基幹連携用データ記憶部１３０ｃに記憶された全てのＥＤＩデータファイルの加工処理を行ったか否かを判定し（ステップＳ４０６）、全てのＥＤＩデータファイルの加工処理を行った場合には、処理を終了し、加工処理を行っていないＥＤＩデータファイルがある場合には、ステップＳ４０３に戻って次のＥＤＩデータファイルの加工処理を行う。
【００８９】
このように、基幹連携データ作成部１５０が加工情報ファイル１５０ａを参照して基幹システムとの連携データを作成することによって、基幹システムとの自動連携を行うことができる。
【００９０】
次に、図１１に示した仕分け条件追加処理の処理手順について説明する。図１６は、図１１に示した仕分け条件追加処理の処理手順を示すフローチャートである。図１６に示すように、この仕分け条件追加処理では、仕分け条件追加部１７０は、まず、仕分け条件として仕分け情報ファイル１２０ｂに追加するか否かの判定に用いるエラー回数（［最大エラーカウンター］の部分のMAXCOUNTの値）などの設定値を管理ファイル１１０ａから取得する（ステップＳ５０１）。
【００９１】
そして、ログファイル１７０ａからログを読み出し（ステップＳ５０２）、ログがエラー情報であるか否か、すなわち、ログの状態が「NG」であるか否かを判定する（ステップＳ５０３）。その結果、ログがエラー情報である場合には、エラーカウンターファイル１７０ｂのエラーファイルの情報を更新する（ステップＳ５０４）。そして、全てのログを処理したか否かを判定し（ステップＳ５０５）、処理していないログがある場合には、ステップＳ５０２に戻って次のログを処理する。
【００９２】
一方、全てのログの処理を終了した場合には、エラーカウンターファイル１７０ｂからエラーファイルの情報を読み出し（ステップＳ５０６）、エラーの連続発生回数に基づいて仕分け条件として追加するか否かを判定する（ステップＳ５０７）。その結果、仕分け条件として追加する場合には、仕分け情報ファイル１２０ｂを更新する（ステップＳ５０８）。
【００９３】
そして、全てのエラーファイルの情報を処理したか否かを判定し（ステップＳ５０９）、処理していないエラーファイルの情報がある場合には、ステップＳ５０６に戻って次のエラーファイルの情報を処理し、全てのエラーファイルの情報を処理した場合には、処理を終了する。
【００９４】
このように、仕分け条件追加部１７０がログファイル１７０ａを用いて仕分け情報ファイル１２０ｂに仕分け条件を追加することによって、データ仕分け処理部１２０がより適切な仕分けを行うようにすることができる。
【００９５】
次に、メール送信部１６０が担当者に送信するメールの例について図１７〜図１９を用いて説明する。図１７は、担当者への送信メールの一例を示す図である。同図は、担当者の「山田一郎」に対して送信されたメールを示し、このメールには、手動印刷のＥＤＩデータが格納されたフォルダへのリンクや自動印刷でエラーが発生したＥＤＩデータへのリンクなどが含まれる。
【００９６】
図１８は、図１７に示した手動印刷用フォルダへのリンクをクリックした場合の表示例を示す図である。同図に示すように、この例では、手動印刷用フォルダの内容として、手動印刷のＥＤＩデータファイルを含むフォルダが発注企業ごとに表示されている。
【００９７】
図１９は、図１７に示した自動印刷ＮＧファイルへのリンクをクリックした場合の表示例を示す図である。同図に示すように、この例では、自動印刷でエラーが発生したＥＤＩデータが表示されている。
【００９８】
このように、担当者へ送信するメールに、手動印刷のＥＤＩデータが格納されたフォルダへのリンクや自動印刷でエラーが発生したＥＤＩデータへのリンクを含めることによって、担当者は容易に仕分け結果を参照することができる。
【００９９】
次に、バナー印刷の例について説明する。図２０は、バナー印刷の一例を示す図である。同図に示すように、バナーとして担当者の名前やアカウントＩＤなどが印刷される。このように、バナー印刷を行うことによって、印刷されたＥＤＩデータを担当者が容易に特定することができる。
【０１００】
上述してきたように、本実施例では、データ仕分け処理部１２０が仕分け情報ファイル１２０ｂを参照してＥＤＩデータを自動印刷用と手動印刷用とに仕分けし、自動印刷用として仕分けしたＥＤＩデータを自動印刷処理部１４０が担当者ごとにバナー印刷を行って自動印刷することとしたので、ＥＤＩデータをダウンロードした受信側の担当者の作業負担を軽減することができる。
【０１０１】
また、本実施例では、データ仕分け処理部１２０が仕分け情報ファイル１２０ｂを参照して基幹連携用のＥＤＩデータを仕分けし、基幹連携データ作成部１５０が加工情報ファイル１５０ａを参照して基幹連携用データを作成することとしたので、基幹システムと連携することができ、ＥＤＩデータをダウンロードした受信側の担当者の作業負担を軽減することができる。
【０１０２】
なお、本実施例では、ＥＤＩデータ自動仕分け印刷装置について説明したが、ＥＤＩデータ自動仕分け印刷装置が有する構成をソフトウェアによって実現することで、同様の機能を有するＥＤＩデータ自動仕分け印刷プログラムを得ることができる。そこで、このＥＤＩデータ自動仕分け印刷プログラムを実行するコンピュータについて説明する。
【０１０３】
図２１は、本実施例に係るＥＤＩデータ自動仕分け印刷プログラムを実行するコンピュータの構成を示す機能ブロック図である。同図に示すように、このコンピュータ２００は、ＲＡＭ２１０と、ＣＰＵ２２０と、ＨＤＤ２３０と、ＬＡＮインタフェース２４０と、入出力インタフェース２５０と、ＤＶＤドライブ２６０とを有する。
【０１０４】
ＲＡＭ２１０は、プログラムやプログラムの実行途中結果などを記憶するメモリであり、ＣＰＵ２２０は、ＲＡＭ２１０からプログラムを読み出して実行する中央処理装置である。
【０１０５】
ＨＤＤ２３０は、プログラムやデータを格納するディスク装置であり、ＬＡＮインタフェース２４０は、コンピュータ２００をＬＡＮ経由で他のコンピュータに接続するためのインタフェースである。
【０１０６】
入出力インタフェース２５０は、マウスやキーボードなどの入力装置および表示装置を接続するためのインタフェースであり、ＤＶＤドライブ２６０は、ＤＶＤの読み書きを行う装置である。
【０１０７】
そして、このコンピュータ２００において実行されるＥＤＩデータ自動仕分け印刷プログラム２１１は、ＤＶＤに記憶され、ＤＶＤドライブ２６０によってＤＶＤから読み出されてコンピュータ２００にインストールされる。
【０１０８】
あるいは、このＥＤＩデータ自動仕分け印刷プログラム２１１は、ＬＡＮインタフェース２４０を介して接続された他のコンピュータシステムのデータベースなどに記憶され、これらのデータベースから読み出されてコンピュータ２００にインストールされる。
【０１０９】
そして、インストールされたＥＤＩデータ自動仕分け印刷プログラム２１１は、ＨＤＤ２３０に記憶され、ＲＡＭ２１０に読み出されてＣＰＵ２２０によってＥＤＩデータ仕分けプロセス２２１として実行される。
【０１１０】
また、本実施例では、発信者側のＷｅｂサイトからダウンロードしたＥＤＩデータを仕分ける場合について説明したが、本発明はこれに限定されるものではなく、例えば、メールで送られてきたＥＤＩデータを仕分ける場合にも同様に適用することができる。
【０１１１】
（付記１）ＥＤＩデータの属性に基づいて該ＥＤＩデータを自動印刷用と手動印刷用に仕分けする仕分手順と、
前記仕分手順により自動印刷用に仕分けされたＥＤＩデータを印刷する自動印刷手順と、
をコンピュータに実行させることを特徴とするＥＤＩデータ自動仕分け印刷プログラム。
【０１１２】
（付記２）前記仕分手順は、ＥＤＩデータの属性に基づいて該ＥＤＩデータを自動印刷用と手動印刷用に仕分けるとともに、受注処理を行う基幹システムに連携させる基幹連携用に仕分けることを特徴とする付記１に記載のＥＤＩデータ自動仕分け印刷プログラム。
【０１１３】
（付記３）前記仕分手順により基幹連携用として仕分けられたＥＤＩデータに対して基幹システムとの連携に必要な加工を行う基幹連携加工手順をさらにコンピュータに実行させることを特徴とする付記２に記載のＥＤＩデータ自動仕分け印刷プログラム。
【０１１４】
（付記４）前記自動印刷手順は、前記仕分手順により自動印刷用に仕分けされたＥＤＩデータを該ＥＤＩデータの担当者ごとにバナー印刷することを特徴とする付記１、２または３に記載のＥＤＩデータ自動仕分け印刷プログラム。
【０１１５】
（付記５）前記仕分手順は、ＥＤＩデータの属性に基づいて該ＥＤＩデータを自動印刷するか否かを定義した仕分け情報に基づいて仕分けを行い、
前記自動印刷手順は、前記仕分手順により自動印刷用に仕分けられたＥＤＩデータを印刷するとともに、印刷が正常に行われたか否かをログとして記録し、
前記自動印刷手順により記録されたログに基づいて前記仕分け情報を更新する仕分け情報更新手順をさらにコンピュータに実行させることを特徴とする付記１〜４のいずれか一つに記載のＥＤＩデータ自動仕分け印刷プログラム。
【０１１６】
（付記６）前記自動印刷手順は、縮小印刷が指定されているＥＤＩデータを縮小して印刷することを特徴とする付記１〜５のいずれか一つに記載のＥＤＩデータ自動仕分け印刷プログラム。
【０１１７】
（付記７）前記仕分手順により仕分けられた結果を各ＥＤＩデータの担当者に、仕分け結果へのリンクを含むメールで通知する通知手順をさらにコンピュータに実行させることを特徴とする付記１〜６のいずれか一つに記載のＥＤＩデータ自動仕分け印刷プログラム。
【０１１８】
（付記８）ＥＤＩデータから該ＥＤＩデータの特定に利用する情報を抽出して該ＥＤＩデータを格納するファイルの名前に反映するようにファイル名を変換するファイル名変換手順をさらにコンピュータに実行させ、
前記仕分手順は、前記ファイル名変換手順により変換されたファイル名を仕分け結果として明示することを特徴とする付記１〜７のいずれか一つに記載のＥＤＩデータ自動仕分け印刷プログラム。
【０１１９】
（付記９）ＥＤＩデータの属性に基づいて該ＥＤＩデータを自動印刷用と手動印刷用に仕分けする仕分工程と、
前記仕分工程により自動印刷用に仕分けされたＥＤＩデータを印刷する自動印刷工程と、
を含んだことを特徴とするＥＤＩデータ自動仕分け印刷方法。
【０１２０】
（付記１０）ＥＤＩデータの属性に基づいて該ＥＤＩデータを自動印刷用と手動印刷用に仕分けする仕分手段と、
前記仕分手段により自動印刷用に仕分けされたＥＤＩデータを印刷する自動印刷手段と、
を備えたことを特徴とするＥＤＩデータ自動仕分け印刷装置。
【産業上の利用可能性】
【０１２１】
以上のように、本発明に係るＥＤＩデータ自動仕分け印刷プログラム、ＥＤＩデータ自動仕分け印刷方法およびＥＤＩデータ自動仕分け印刷装置は、ＥＤＩシステムに有用であり、特に、ＥＤＩデータの受信に伴って発生する作業の負荷を軽減したい場合に適している。
【図面の簡単な説明】
【０１２２】
【図１】本実施例に係るＥＤＩデータ自動仕分け印刷処理の概念を説明するための説明図である。
【図２】本実施例に係るＥＤＩデータ自動仕分け印刷装置の構成を示す機能ブロック図である。
【図３】管理ファイルの一例を示す図である。
【図４】ＥＤＩデータ記憶部の一例を示す図である。
【図５】仕分け情報ファイルの一例を示す図である
【図６】変換情報ファイルの一例を示す図である。
【図７】プリンタ情報ファイルの一例を示す図である。
【図８】加工情報ファイルの一例を示す図である。
【図９】ログファイルの一例を示す図である。
【図１０】エラーカウンターファイルの一例を示す図である。
【図１１】本実施例に係るＥＤＩデータ自動仕分け印刷装置の処理手順を示すフローチャートである。
【図１２】図１１に示したデータ仕分け処理の処理手順を示すフローチャートである。
【図１３】図１２に示した変換処理の処理手順を示すフローチャートである。
【図１４】図１１に示した自動印刷処理の処理手順を示すフローチャートである。
【図１５】図１１に示した基幹連携データ作成処理の処理手順を示すフローチャートである。
【図１６】図１１に示した仕分け条件追加処理の処理手順を示すフローチャートである。
【図１７】担当者への送信メールの一例を示す図である。
【図１８】図１７に示した手動印刷用フォルダへのリンクをクリックした場合の表示例を示す図である。
【図１９】図１７に示した自動印刷ＮＧファイルへのリンクをクリックした場合の表示例を示す図である。
【図２０】バナー印刷の一例を示す図である。
【図２１】本実施例に係るＥＤＩデータ自動仕分け印刷プログラムを実行するコンピュータの構成を示す機能ブロック図である。
【符号の説明】
【０１２３】
１００    ＥＤＩデータ自動仕分け印刷装置
１１０    ダウンロード部
１１０ａ    管理ファイル
１２０    データ仕分け処理部
１２０ａ    ＥＤＩデータ記憶部
１２０ｂ    仕分け情報ファイル
１２０ｃ    変換情報ファイル
１３０ａ    自動印刷用データ記憶部
１３０ｂ    手動印刷用データ記憶部
１３０ｃ    基幹連携用データ記憶部
１４０    自動印刷処理部
１４０ａ    プリンタ情報ファイル
１５０    基幹連携データ作成部
１５０ａ    加工情報ファイル
１６０    メール送信部
１７０    仕分け条件追加部
１７０ａ    ログファイル
１７０ｂ    エラーカウンターファイル
２００    コンピュータ
２１０    ＲＡＭ
２１１    ＥＤＩデータ自動仕分け印刷プログラム
２２０    ＣＰＵ
２２１    ＥＤＩデータ自動仕分け印刷プロセス
２３０    ＨＤＤ
２４０    ＬＡＮインタフェース
２５０    入出力インタフェース
２６０    ＤＶＤドライブ
【図１】
2007058668.tif 000003
【図２】
2007058668.tif 000004
【図３】
2007058668.tif 000005
【図４】
2007058668.tif 000006
【図５】
2007058668.tif 000007
【図６】
2007058668.tif 000008
【図７】
2007058668.tif 000009
【図８】
2007058668.tif 000010
【図９】
2007058668.tif 000011
【図１０】
2007058668.tif 000012
【図１１】
2007058668.tif 000013
【図１２】
2007058668.tif 000014
【図１３】
2007058668.tif 000015
【図１４】
2007058668.tif 000016
【図１５】
2007058668.tif 000017
【図１６】
2007058668.tif 000018
【図１７】
2007058668.tif 000019
【図１８】
2007058668.tif 000020
【図１９】
2007058668.tif 000021
【図２０】
2007058668.tif 000022
【図２１】
2007058668.tif 000023